(57)【要約】【課題】代かきを行わず、従来通りの苗作り、従来の田植機であっても、短時間かつ節水可能な田植え方法を提供することを目的とする。【解決手段】本発明は、灌水前の田圃表土を押圧機により押し固める押圧工程と、次に田圃に水を浅く張る灌水工程と、次に所定期間放置する養生工程と、次に稲苗を田植機で植える移植工程とからなり、代かきを行わないことを特徴とする節水型田植え方法の構成とした。また、必要に応じて、前記押圧工程と灌水工程との間に、田圃表面をロータリーで、２〜１０ｃｍ撹拌する粉砕工程を設けることを特徴とする前記節水型田植え方法の構成とした。【選択図】図１
2010029084.tif 000002
【特許請求の範囲】
【請求項１】
灌水前の田圃表土を押圧機により押し固める押圧工程と、次に田圃に水を浅く張る灌水工程と、次に所定期間放置する養生工程と、次に稲苗を田植機で植える移植工程とからなり、代かきを行わないことを特徴とする節水型田植え方法。
【請求項２】
前記押圧工程前に、元肥をロータリーで地中に鋤込む元肥混合工程を設けることを特徴とする請求項１に記載の節水型田植え方法。
【請求項３】
前記押圧機が、車輪走行車であることを特徴とする請求項１又は請求項２に記載の節水型田植え方法。
【請求項４】
前記所定期間が、２〜３日であることを特徴とする請求項１〜請求項３の何れか１項に記載の節水型田植え方法。
【請求項５】
前記押圧工程と灌水工程との間に、ロータリーで、田圃表面から深さ２〜１０ｃｍを撹拌する粉砕工程を設けることを特徴とする請求項１〜請求項４の何れか１項に記載の節水型田植え方法。
【発明の詳細な説明】
【技術分野】
【０００１】
本発明は、稲苗の移植による田植え方法に関し、詳しくは、代かきを行わない節水型田植え方法に関する。
【背景技術】
【０００２】
従来から、稲苗の田植え方法は、冬に水を抜き乾燥させ、稲苗移植前に、施肥、耕起、畦塗り、代かきを行い、その後、別に育苗した稲苗を移植していた。
【０００３】
耕起作業には、移植に適した土塊の大きさに土を砕くということ以外に、前作物の残渣を土の中に鋤込んで腐熟を促進させる、土の中に空気を入れて乾燥を促進し、有機態窒素を無機化させる（乾土効果）等の意味がある。水稲単作地帯では、秋の稲刈りの後に一回程度荒起こしを行い、春の代かき前にもう１〜２回耕起を行う。耕起作業では、一般的に、耕耘機とトラクターに取り付けるロータリーがある。
【０００４】
代かきとは、耕起した水田に水を引き入れ、土を砕き、表層を略水平にならして田植えの準備する工程である。代かきは、通常２回行われる。一回目の代かき作業は「荒代かき」と称し、砕土を目的に行う。二回目以降の代かき作業は、均平や稲株、残渣物の埋没を目的として実施される。しかし、代かき作業は、時間と労働力を必要とする。また、その意義も疑問視されつつある。
【０００５】
耕起、代かきを行わない田植え方法として、特許文献１の「不耕起移植栽培法」及び、特許文献２の「不耕起栽培用田植機及び田植え方法」が研究され、公開されている。
【０００６】
特許文献１によれば、「従来、我が国における水稲栽培においては、耕起、代かきはなくてはならない手段として深く根を下ろしている。かかる工程は土を乾かすことによって地力チッソの放出を促す乾土効果、および漏水対策のために必要であるとされ、また田植えをやりやすくし、田植え直後の苗の活着、生長を促すための重要な作業である。すなわち、耕起、代かきには乾土効果、漏水防止、除草、田植えのしやすさ、苗の活力推進の効果があるといわれている。従来、このように耕起と代かきは水稲づくりには絶対不可欠であり、あまりにも当たり前すぎる技術として我が国において定着してきた。
しかしながら、従来、耕起、代かきとは化学肥料、除草剤などがない時代において、地中にすむ微生物の死骸を地力チッソという養分として用いるためなどを目的として生まれた先人たちの知恵であった。この工程が化学肥料などが発達し田植機が流通している現在において、必要であるか否かについては問題が残る。すなわち、化学肥料、除草剤、田植機が十分に普及した現在においては、耕起、代かきの目的は半減される。また、漏水防止は畦を整備することによって防ぐことができる。さらに苗の活着については、苗の育成方法、移植方法によって十分にカバーできる。このことより考えると、耕起、代かきは現在では必ずしも必要なものではなく、単なる時間及びコストの無駄ともいえるものである。そこで、特許文献１の発明課題は、かかる耕起、代かきの必要性について考慮する観点から、不耕起栽培法における効率のよい栽培方法を明らかにするところにある。」とされる。
その結果、請求項１〜４に記載の発明「（請求項１）耕起、代かきを行わずに土壌を固めた乾田を浅く潅水させ、該乾田に直接苗を移植させる不耕起移植栽培法。（請求項２）耕起、代かきをせず、潅水を入れた状態で土壌の作土層表面の硬さが少なくとも０．０８ｋｇ／ｃｍ２ の硬さを持つ乾田を浅く潅水させ、直接苗を移植させる不耕起移植栽培法。（請求項３）土壌を固めることにより少なくとも０．０８ｋｇ／ｃｍ２の硬さを持たせ、その後苗を移植する請求項２に記載の不耕起移植栽培法。（請求項４）請求項１記載の乾田において昨年の切り株と切り株との間に筋、穴、もしくは溝を作り、その筋、穴、もしくは溝に苗を移植させる請求項１乃至３のいずれかに記載の不耕起移植栽培法。」が開発された。
【特許文献１】特開平１０−１１７６１４号公報
【０００７】
また、特許文献２にも、特許文献１と同様に、明細書段落［００１７］には、「ここで本発明における不耕起移植栽培とは耕起、代かきをせず、潅水を入れた状態で土壌の作土層表面の硬さが少なくとも０．０８ｋｇ／ｃｍ２の硬さを持つ該乾田を浅く潅水させ、直接苗を移植させる不耕起移植栽培法をいう。ここで本発明の不耕起移植栽培法において不可欠な重要な問題として土壌の硬さがあげられる。不耕起移植栽培の効果は、耕起栽培に比べ土壌が硬く、エチレン効果による根の発達が稲を強くしていることに起因する。したがって、土壌が硬くなければ不耕起移植栽培の効果は半減するため、柔らかい土壌においてはたとえ不耕起移植栽培法においても、好結果を奏する可能性は低くなる。本発明者は不耕起移植栽培の効果が顕著にあらわれる土壌について検討した結果、潅水を入れた状態で作土層表面が少なくとも０．０８ｋｇ／ｃｍ２の硬さを持つ土壌において効果が顕著であることを見いだした。」とある。
【特許文献２】特開平１０−１１７５１９号公報
【０００８】
また、非特許文献１には、特許文献１、２の発明者の農法に適用される不耕起栽培用田植機の動画「自然耕のコメ物語」が掲載されている。また、その農法の概要について、次の内容が記載されている。該当箇所抜粋。
【０００９】
＜岩澤式・自然耕のコメ＞の概要
１）不耕起
農「耕」が始まってから約１万年と言われる。だとしたら人類は長い間とんだ思い違いをしてきたことになる。大学でも、農業試験場でも、「耕す」ことが大前提として研究が進められてきた。
では＜何故、不耕起栽培の方が良いか？＞：
有毒ガスが発生しないので根腐れしない
田植え後に水をはった時、耕した田では有機物が水底下の土中で分解してメタンガス等の有害ガスを発生（プクプクと底から泡がでるのを見た人もいるだろう）して根腐れの原因となるが、不耕田にはそれが無い。メタンガスは二酸化炭素の２０倍近い地球温暖化の要因となっている。（具体的数字として、日本におけるメタンガス放出の２４％は田圃からであり、１反当たり６５Ｋｇであるが、不耕起農法なら５Ｋｇと十分の１以下）
根が野生化して太くて強くなる
不耕田の土はとても固い（踏んでも足が入らない）ため、田植えされた苗は簡単には根を土中に伸ばせない。耕された柔らかい土では考えられない大きな負荷を与えられた“やつら”は、生きるためにエチレンというホルモンを大量分泌させて根を太くて強くするのである。つまり稲の根が逆境のため“野生化”して、通常の稲と比べて体積比で10倍以上となる。ちなみに土が固いことはモグラやヒルを発生させ難くする。
土地の酸化還元電位を還元側にする
耕転することは酸素を土中に入れることである。今までは酸素は多いほど良いと信じられてきた。しかし最新の医学の研究でも、「病気の８５％の真因は活性酸素にある」とか、「酸素は本来、生命進化上での考察からも猛毒として作用していた」（ＮＨＫ特別番組等）等が明らかになったことで、酸素を土中に入れることは、酸化還元電位を酸化側に傾けると考えられるので、好ましくないはずである。人間も作物（植物）も、生命という観点から考えれば、その健康管理も共通しているはずである。今後の農学者の研究が待たれるところである。
農業経営という観点からのメリットを述べると：
労働力の４割以上を削減できる
耕さないのであるから、当然に「田起こし」や「代かき」が不要なので、それだけで通常農法の労働力の４割が削減できる。
省エネ・低コスト化を実現
農業機械でいちばん高価な機械＝トラクター等が不要となる。根が不耕起という逆境に克服し、野生化してかえって健康に成長するのは興味深い事実である。アマちゃんに育てる（耕す）と結局は脆弱となるのは人間も同じである。森の巨木を見よ！、誰がその土を耕しているのか？平成５年の大冷害による「米騒動」の際、不耕起栽培の稲はほとんど被害を受けず、収穫も十分にあったことから、それまでは冷淡だった国も一転して不耕起栽培の見直しに重い腰を上げたらしい。
２）苗作り
しかし固い土に対抗する逞しい稲を作るためには、人間でいえば乳幼児期にあたる苗作りが大切である。従来の稲作では温室で育てた“稚苗”を植えるが、自然耕では低温の外気で育てた“成苗”を使う。しかも足で踏んだりして刺激を与えて“特訓”する。こうして強い苗を育てるからこそ、固い土にしっかりと根を張り、雑草にも負けないのである。
３）独自開発の田植機
不耕田は足が入らないほど固い。しかも草だらけである。そんなところでは通常の田植機では田植えができない。そこで、固い土の一部をカットして植苗する特殊カッター付き田植機が考案開発された。いくら自然農法が良いといっても、手間ばかりかかれば現代のニーズに適合しない。
【非特許文献１】http://www.kyoto.zaq.ne.jp/ark/NOHGYO.HTM
【発明の開示】
【発明が解決しようとする課題】
【００１０】
しかしながら、上記不耕起農法は、その効果は優れているものの、田圃が硬く、通常の田植機による稲苗の移植は困難で、特殊の田植機を必要とする。また、それに適した特殊な苗作りを行う。従って、従来の苗作り、田植えに馴れた就業者においては、新たな田植機の購入が必要で、特殊な苗作りを取り入れなければならず、採用することが容易ではない。
【００１１】
そこで、本発明では、代かきを行わず、従来通りの苗作り、従来の田植機であっても、短時間かつ節水可能な田植え方法を提供することを目的とする。
【課題を解決するための手段】
【００１２】
本発明は、上記課題を解決するため、灌水前の田圃表土を押圧機により押し固める押圧工程３と、次に田圃に水を浅く張る灌水工程５と、次に所定期間放置する養生工程６と、次に稲苗を田植機で植える移植工程７とからなり、代かきを行わないことを特徴とする節水型田植え方法の構成とした。
【００１３】
さらに、前記押圧工程３前に、元肥をロータリーで地中に鋤込む元肥混合工程２を設けることを特徴とする前記節水型田植え方法の構成とし、また、前記押圧機が、車輪走行車であることを特徴とする前記節水型田植え方法の構成とし、前記所定期間が、２〜３日であることを特徴とする前記何れかに記載の節水型田植え方法の構成とした。
【００１４】
加えて、前記押圧工程３と灌水工程５との間に、ロータリーで、田圃表面から深さ２〜１０ｃｍを撹拌する粉砕工程４を設けることを特徴とする前記何れかに記載の節水型田植え方法の構成とした。
【発明の効果】
【００１５】
本発明は以上の構成であるから以下の効果を発揮する。第１に、灌水前の田圃表土を押圧し、代かきを行わないため、同時期に多量に必要であった用水を極めて少ない量に節水することができ、環境負荷が低い。特に、乾燥地域において極めて有効である。
【００１６】
押圧機は、従来からある車輪走行車であるトラクターなど重機で良いため、新たな設備を必要としない。
【００１７】
押圧、灌水の後、田圃を２−３日放置し、養生させることで、硬く押し固められた田圃表土も灌水が十分浸水し、軟化し、従来からの田植機であったとしても、従来と変わらず稲苗の移植を行うことができる。
【００１８】
さらに、灌水前に田圃表土を２〜５ｃｍロータリーで粉砕することで、表面の凹凸が解消され、また灌水の浸潤が促進される。
【発明を実施するための最良の形態】
【００１９】
以下、添付図面に基づいて、本発明である節水型田植え方法について、詳細に説明する。
【実施例１】
【００２０】
図１は、本発明である節水型田植え方法のフロー（一例）である。本発明である節水型田植え方法１は、元肥をロータリーで地中に鋤込む元肥混合工程２と、次に灌水前の田圃表土を押圧機により押し固める押圧工程３と、次に田圃表面をロータリーで撹拌する粉砕工程４と、次に田圃に水を浅く張る灌水工程５と、次に灌水後の田圃を所定期間放置する養生工程６と、次に稲苗を田植機で植える移植工程７とからなり、代かきを行わないことを特徴とする。
【００２１】
次に、図２〜図７を参照し、上記各工程を詳細に説明する。
【００２２】
図２は、元肥混合工程中の田圃の断面模式図である。元肥２ｂをロータリー２ａで地中に鋤込む元肥混合工程２は、田植え間近に、遅効性有機肥料（元肥２ｂ）を乾田１ａの表面に散布し、耕耘機、トラクターなどに取り付けたロータリー２ａで、表層から約２０ｃｍ程度撹拌し、昨年の切り株１ｂ、雑草などの残渣２ｃとともに、元肥２ｂを地中に埋設する工程である。
【００２３】
田圃では、稲の刈り入れ後、用水を引き込むことなく、乾燥させ冬を越すことが一般に行われている。このような田圃をここでは乾田１ａと呼ぶ。但し、全く水を含まないことを意味するものではなく、雨水、雪解け水などが含まれ、ぬかるんでいる状態の場合も含む。
【００２４】
元肥２ｂとしては、牛、豚などの家畜糞、稲藁、生ごみなどの有機物を堆積し、微生物が分解した従来より使用されている分解物が挙げられ、本発明でも同様に使用できる。
【００２５】
ロータリー２ａには、正転（ダウンカット）ロータリーと逆転（アップカット）ロータリーがある。なお、アップカットロータリーは、ダウンカットロータリーに比べて土が細かくなりやすい。特に、後述の粉砕工程４では、田圃の表面に細かい土の層（粉砕層４ａ）ができ好適である。但し、アップカットの場合は、大きな動力を必要とするため、ダウンカットの場合より一回り大きなトラクターが必要となる。
【００２６】
このような元肥混合工程２によって、乾田１ａ表層に、元肥２ｂ、残渣２ｃ、泥の混合層２ｅが形成される。混合層２ｅには、大きな隙間２ｄが多数形成される。従来法では、この後に代かきを行うこととなる。代かきは、このように多量の隙間２ｄを有する田圃に灌水をした後行う。従って、代かきには多量の用水が必要であった。代かきは、近隣の田圃で同時期に行うため、水資源の枯渇が問題になっている。
【００２７】
図３は、押圧工程中の田圃の断面模式図である。押圧工程３は、灌水前の田圃表土を押圧機により押し固める。より具体的には、元肥混合工程２によって形成された大きな隙間２ｄがある低密度の混合層２ｅ上を、耕運機、トラクターなど車輪３ａ走行する重機などの押圧機で、１度〜複数回走行し、田圃表土を固く押し固め、押圧層３ｃを形成する工程である。図３では、車輪３ａのみを描き、他は省略した。
【００２８】
トラクターとしては、ヤンマー（株）、Ｆ２５０などが使用できる。車輪３ａには、タイヤのみならず、キャタピラータイプも含まれる。
【００２９】
押圧層３ｃは、混合層２ｅに比べ、隙間３ｂが少ない。従って、灌水のための用水の引き込み量が少なくて済む。また固く、水漏れすることが少ない。不耕起農法に比べてもこの段階では田圃はより固い。
【００３０】
図４は、粉砕工程中の田圃の断面模式図である。粉砕工程４は、必要に応じ、押圧工程３の後に行う。粉砕工程４は、田圃表面をロータリー２ａで撹拌する。より具体的には、ロータリー２ａで、押圧層３ｃの表層から２〜１０ｃｍ程度、好ましくは３〜５ｃｍ程度撹拌する。
【００３１】
ロータリー２ａは、上述のように、アップカットが好ましく、さらに高速回転させる。これにより、粉砕層４ａは、より細かな土壌になり、隙間３ｂよりは大きいが、隙間２ｄより小さい隙間４ｂが形成される。それと同時に、車輪３ａの表面の凹凸に由来するタイヤ痕を消すことができる。
【００３２】
図５は、灌水工程完了後の田圃の断面模式図である。灌水工程５は、稲苗移植のために、田圃に灌水５ａを浅く張る工程である。灌水５ａは、粉砕層４ａの隙間４ｂに浸潤しながら溜まる。しかし、押圧層３ｃの隙間３ｂまで灌水５ａが浸潤するためには、しばらく時間が掛かる。押圧層３ｃの隙間３ｂまで灌水５ａが浸潤し、押圧層３ｃが軟化するのに、概ね、２〜３日で要する。従って、次の養生工程６が必要になり、灌水工程５完了後、直ちに稲苗を移植することは困難である。
【００３３】
図６は、養生工程完了後の田圃の断面模式図である。養生工程６は、灌水後の田圃を所定期間放置、具体的には２〜３日間程度放置し、田圃表層の水平化及び押圧層３ｃに灌水５ａを十分浸潤させる。
【００３４】
養生工程６を経ることにより、隙間６ａに灌水が浸潤し、押圧層３ｃ、粉砕層４ａ共に軟化し、一体化した浸潤層６ｂを形成する。これにより、稲苗の移植を特殊な田植え機を用いることなく、従来の田植え機で問題なく田植えをすることができる。例えば、ヤンマー（株）、ＰＲ５００などが使用できる。
【００３５】
図７は、移植工程完了後の田圃の断面模式図である。移植工程７は、稲苗７ａを田植機で植える工程である。従来の田植機で遜色なく行うことができる。
【００３６】
以後の水田管理は、従来からの管理と同様に、水量管理を行い、必要に応じて除草、防虫など薬剤散布、追肥を行う。結実後の収穫も、従来の稲刈り機を使用でき、稲藁の切り株の残量も従来と同様でよい。
【００３７】
上記方法であれば、面積３０ａの田圃の灌水を約１昼夜で完了することができる。従来では、約１週間を要した。従って、極めて、用水の節水が可能である。単純計算では１／７で済むこととなる。さらに、従来の田植機を用いても全く遜色なく、移植作業が行え、稲苗の活着も確認できた。
【図面の簡単な説明】
【００３８】
【図１】本発明である節水型田植え方法のフロー（一例）である。
【図２】元肥混合工程中の田圃の断面模式図である。
【図３】押圧工程中の田圃の断面模式図である。
【図４】粉砕工程中の田圃の断面模式図である。
【図５】灌水工程完了後の田圃の断面模式図である。
【図６】養生工程完了後の田圃の断面模式図である。
【図７】移植工程完了後の田圃の断面模式図である。
【符号の説明】
【００３９】
１    節水型田植え方法
１ａ  乾田
１ｂ  切り株
２    元肥混合工程
２ａ  ロータリー
２ｂ  元肥
２ｃ  残渣
２ｄ  隙間
２ｅ  混合層
３    押圧工程
３ａ  車輪
３ｂ  隙間
３ｃ  押圧層
４    粉砕工程
４ａ  粉砕層
４ｂ  隙間
５    灌水工程
５ａ  灌水
６    養生工程
６ａ  隙間
６ｂ  浸潤層
７    移植工程
７ａ  稲苗
【図１】
2010029084.tif 000003
【図２】
2010029084.tif 000004
【図３】
2010029084.tif 000005
【図４】
2010029084.tif 000006
【図５】
2010029084.tif 000007
【図６】
2010029084.tif 000008
【図７】
2010029084.tif 000009
【手続補正書】
【提出日】平成20年7月29日(2008.7.29)
【手続補正１】
【補正対象書類名】明細書
【補正対象項目名】００３４
【補正方法】変更
【補正の内容】
【００３４】
養生工程６を経ることにより、隙間６ａに灌水が浸潤し、押圧層３ｃ、粉砕層４ａ共に軟化し、一体化した浸潤層６ｂを形成する。これにより、稲苗の移植を特殊な田植え機を用いることなく、従来の田植え機で問題なく田植えをすることができる。例えば、田植え機として、ヤンマー（株）、ＲＲ５００などが使用できる。